(57)【特許請求の範囲】
【請求項１】
撮像レンズを有するカメラ本体と、前記撮像レンズによる撮像画像を表示する電子ディスプレイと、前記カメラ本体に対して第１の回転軸回りに回動可能に連結されると共に前記電子ディスプレイを前記第１の回転軸に垂直な第２の回転軸回りに回動可能に連結するヒンジユニットと、を備えるディジタルカメラであって、
前記カメラ本体は、該カメラ本体の表面に凹設されて前記ヒンジユニットを収容する収容凹部の内周壁の少なくとも一部を切り欠いて形成されて、前記ヒンジユニットの外周面を外部に露出させる第１のスリットを備え、
前記ヒンジユニットは、前記電子ディスプレイの外周を囲繞する外周壁の少なくとも一部を切り欠いて形成されて、前記電子ディスプレイの外周面を外部に露出させる第２のスリットを備えていることを特徴とするディジタルカメラ。
【請求項２】
前記第２のスリットは、前記ヒンジユニットの外周壁のうち前記第２の回転軸に対向する外周壁の少なくとも一部を切り欠いて形成されていることを特徴とする請求項１記載のディジタルカメラ。
【請求項３】
前記第１のスリットは、前記カメラ本体の内周壁のうち前記第１の回転軸に対向する内周壁の少なくとも一部を切り欠いて形成されていることを特徴とする請求項１又は２記載のディジタルカメラ。
【請求項４】
前記ヒンジユニットが前記第１の回転軸回りに回動し始める回動初期時に、前記ヒンジユニットの回動に抗するヒンジユニット回動抑制手段が設けられていることを特徴とする請求項１乃至３の何れか１項記載のディジタルカメラ。
【請求項５】
前記ヒンジユニット回動抑制手段は、前記カメラ本体と前記ヒンジユニットとの間に配置されて、前記カメラ本体と前記ヒンジユニットとを係脱自在に係着する第１のラッチ機構を備えていることを特徴とする請求項４記載のディジタルカメラ。
【請求項６】
前記ヒンジユニット回動抑制手段は、前記第１の回転軸に連結されて凸状のカム面を備えた第１のカムと、該第１のカムのカム面を押圧する第１のリーフスプリングと、を備え、前記ヒンジユニットが前記第１の回転軸回りに回動し始める回動初期時には、前記第１のリーフスプリングが前記ヒンジユニットの回動方向に対して逆向きの抗力を前記第１のカムのカム面に付与する第１の抗力付与機構を備えていることを特徴とする請求項４又は５記載のディジタルカメラ。
【請求項７】
前記電子ディスプレイが前記第２の回転軸回りに回動し始める回動初期時に、前記電子ディスプレイの回動に抗するディスプレイ回動抑制手段が設けられていることを特徴とする請求項１乃至６の何れか１項記載のディジタルカメラ。
【請求項８】
前記ディスプレイ回動抑制手段は、前記電子ディスプレイと前記ヒンジユニットとの間に配置されて、前記電子ディスプレイと前記ヒンジユニットとを係脱自在に係着する第２のラッチ機構を備えていることを特徴とする請求項７記載のディジタルカメラ。
【請求項９】
前記ディスプレイ回動抑制手段は、前記第２の回転軸に連結されて凸状のカム面を備えた第２のカムと、該第２のカムのカム面を押圧する第２のリーフスプリングと、を備え、前記電子ディスプレイが前記第２の回転軸回りに回動させる回動初期時には、前記第２のリーフスプリングが前記電子ディスプレイの回動方向に対して逆向きの力を前記第２のカムのカム面に付与する第２の抗力付与機構を備えていることを特徴とする請求項７又は８記載のディジタルカメラ。
【請求項１０】
前記ヒンジユニットの外周壁は、前記ヒンジユニットの電子ディスプレイの裏面に対向する基台の周縁を上方に折り曲げて形成されていることを特徴とする請求項１乃至９の何れか１項記載のディジタルカメラ。
【発明の詳細な説明】
【技術分野】
【０００１】
本発明は、ディジタルカメラに関するものであって、特に、ディジタルカメラをローアングルで使用する場合に、電子ディスプレイをワンタッチで縦横に回動可能なディジタルカメラを提供する。
【背景技術】
【０００２】
従来のディジタルカメラでは、被写体の大きさや向き等に応じて、撮影レンズの光軸を中心にカメラを回転させ、縦画面位置と横画面位置とを撮り分けることが可能である。
【０００３】
しかしながら、極端に低い位置で撮影するために水平方向に近い位置にカメラの撮影レンズを向ける場合、所謂、ローアングル撮影においては、地面に寝そべらなくてはならないか、又は、９０度変換プリズム又は反射鏡をファインダに取り付けなければならないという問題を生ずる。
【０００４】
そこで、ディジタルカメラの縦画面位置、横画面位置夫々の撮影に応じて、撮影者が電子ディスプレイを覗き易いように、電子ディスプレイの角度を縦横に変更可能なディジタルカメラが知られている。
【０００５】
このようなディジタルカメラとして、撮像レンズを有する本体部と、撮像レンズによる撮像画像を表示する電子ディスプレイと、本体部及び電子ディスプレイを連結するヒンジユニットとを備え、ヒンジユニットが、該ヒンジユニットを本体部に対して第１の方向回りに９０度回動可能に軸着する第１の回転軸と、電子ディスプレイをヒンジユニットに対して第１の方向に垂直な第２の方向回りに９０度回動可能に軸着する第２の回転軸と、を備え、本体部とヒンジユニットとを開閉自在に連結する第１のクイックリリース機構と、ヒンジユニットと電子ディスプレイとを開閉自在に連結する第２のクイックリリース機構とを備えているものが知られている（特許文献１を参照）。
【先行技術文献】
【特許文献】
【０００６】
【特許文献１】特許第５２９６２７０号公報。
【発明の概要】
【発明が解決しようとする課題】
【０００７】
しかしながら、上述したディジタルカメラは、第１のクイックリリース機構又は第２のクイックリリース機構を解放して、電子ディスプレイ又はヒンジユニットを開閉する際に、撮影者が、電子ディスプレイとヒンジユニットとの狭い隙間から電子ディスプレイの一部を指で摘まんで回動させたり、ヒンジユニットと本体部との狭い隙間からヒンジユニットの一部を指で摘まんで回動させなければならず、撮影者が電子ディスプレイ、ヒンジユニットを回動させ難いという問題があった。
【０００８】
また、第１のクイックリリース機構又は第２のクイックリリース機構の解放時に、電子ディスプレイ又はヒンジユニットをバネ等で上方に跳ね上げて、撮影者が電子ディスプレイ又はヒンジユニットを指で摘まみ易くすることも考えられるが、ディジタルカメラの複雑化や大型化を招くという問題があった。
【０００９】
そこで、簡易な構造で電子ディスプレイを縦横自在に簡単に回動するために解決すべき技術的課題が生じてくるのであり、本発明は、この課題を解決することを目的とする。
【課題を解決するための手段】
【００１０】
本発明は上記目的を達成するために提案されたものであり、請求項１記載の発明は、撮像レンズを有するカメラ本体と、前記撮像レンズによる撮像画像を表示する電子ディスプレイと、前記カメラ本体に対して第１の回転軸回りに回動可能に連結されると共に前記電子ディスプレイを前記第１の回転軸に垂直な第２の回転軸回りに回動可能に連結するヒンジユニットと、を備えるディジタルカメラであって、前記カメラ本体は、該カメラ本体の表面に凹設されて前記ヒンジユニットを収容する収容凹部の内周壁の少なくとも一部を切り欠いて形成されて、前記ヒンジユニットの側面を外部に露出させる第１のスリットを備え、前記ヒンジユニットは、前記電子ディスプレイの外周を囲繞する外周壁の少なくとも一部を切り欠いて形成されて、前記電子ディスプレイの外周面を外部に露出させる第２のスリットを備えているディジタルカメラを提供する。
【００１１】
この構成によれば、第１のスリットを介してヒンジユニットの側面が外部に露出することにより、撮影者が指でヒンジユニットを把持する等してヒンジユニットの回動操作がし易く、電子ディスプレイをカメラ本体の背面に収納した状態（閉位置）から、電子ディスプレイが第１の回転軸上でカメラ本体に対して略垂直に立ち上がった状態（第１の開位置）に簡単に移行することができる。また、第２のスリットを介して電子ディスプレイの外周面が外部に露出することにより、撮影者が指で電子ディスプレイを把持する等して電子ディスプレイの回動操作がし易く、閉位置の電子ディスプレイを電子ディスプレイが第２の回転軸上でカメラ本体に対して略垂直に立ち上がった状態（第２の開位置）に簡単に移行することができる。
【００１２】
請求項２記載の発明は、請求項１記載のディジタルカメラの構成に加えて、前記第２のスリットは、前記ヒンジユニットの外周壁のうち前記第２の回転軸に対向する外周壁の少なくとも一部を切り欠いて形成されているディジタルカメラを提供する。
【００１３】
この構成によれば、第２のスリットを第２の回転軸に対向して設けることにより、撮影者が電子ディスプレイの外周面を第２の回転軸に向けて押しながら電子ディスプレイを回動させられるため、電子ディスプレイを押す指が滑ることなく確実に電子ディスプレイを回動させることができる。
【００１４】
請求項３記載の発明は、請求項１又は２記載のディジタルカメラの構成に加えて、前記第１のスリットは、前記カメラ本体の内周壁のうち前記第１の回転軸に対向する内周壁の少なくとも一部を切り欠いて形成されているディジタルカメラを提供する。
【００１５】
この構成によれば、第１のスリットを第１の回転軸に対向して設けることにより、撮影者がヒンジユニットの外周面を第１の回転軸に向けて押しながらヒンジユニットを回動させられるため、ヒンジユニットを押す指が滑ることなく確実にヒンジユニットを回動させることができる。
【００１６】
請求項４記載の発明は、請求項１乃至３の何れか１項記載のディジタルカメラの構成に加えて、前記ヒンジユニットが前記第１の回転軸回りに回動し始める回動初期時に、前記ヒンジユニットの回動に抗するヒンジユニット回動抑制手段が設けられているディジタルカメラを提供する。
【００１７】
この構成によれば、ヒンジユニットの回動初期時に、ヒンジユニット回動抑制機構がヒンジユニットの回動を妨げるため、閉位置におけるヒンジユニットが撮影者の意に反して開いたり、第１の開位置におけるヒンジユニットが自重で閉じることを抑制することができる。
【００１８】
請求項５記載の発明は、請求項４記載のディジタルカメラの構成に加えて、前記ヒンジユニット回動抑制手段は、前記カメラ本体と前記ヒンジユニットとの間に配置されて、前記カメラ本体と前記ヒンジユニットとを係脱自在に係着する第１のラッチ機構を備えているディジタルカメラを提供する。
【００１９】
この構成によれば、カメラ本体とヒンジユニットとを相対的に回動させる外力が作用しない限り、第１のラッチ機構がヒンジユニットの回動を妨げるため、閉位置及び第１の開位置におけるヒンジユニットが撮影者の意に反して開閉することを更に抑制することができる。
【００２０】
請求項６記載の発明は、請求項４又は５記載のディジタルカメラの構成に加えて、前記ヒンジユニット回動抑制手段は、前記第１の回転軸に連結されて凸状のカム面を備えた第１のカムと、該第１のカムのカム面を押圧する第１のリーフスプリングと、を備え、前記ヒンジユニットが前記第１の回転軸回りに回動し始める回動初期時には、前記第１のリーフスプリングが前記ヒンジユニットの回動方向に対して逆向きの抗力を前記第１のカムのカム面に付与する第１の抗力付与機構を備えているディジタルカメラを提供する。
【００２１】
この構成によれば、ヒンジユニットが第１の回転軸回りに回動する際に、第１のカムの回動に応じて撓んだ第１のリーフスプリングが、ヒンジユニットの回動初期時には、ヒンジユニットの回動を妨げる付勢力を第１のカムに付与するため、閉位置及び第１の開位置におけるヒンジユニットが撮影者の意に関して開閉することを更に抑制することができる。
【００２２】
請求項７記載の発明は、請求項１乃至６の何れか１項記載のディジタルカメラの構成に加えて、前記電子ディスプレイが前記第２の回転軸回りに回動し始める回動初期時に、前記電子ディスプレイの回動に抗するディスプレイ回動抑制手段が設けられているディジタルカメラを提供する。
【００２３】
この構成によれば、電子ディスプレイの回動初期時に、ディスプレイ回動抑制機構が電子ディスプレイの回動を妨げるため、閉位置における電子ディスプレイが撮影者の意に反して開いたり、第２の開位置における電子ディスプレイが自重で閉じることを抑制することができる。
【００２４】
請求項８記載の発明は、請求項７記載のディジタルカメラの構成に加えて、前記ディスプレイ回動抑制手段は、前記電子ディスプレイと前記ヒンジユニットとの間に配置されて、前記電子ディスプレイと前記ヒンジユニットとを係脱自在に係着する第２のラッチ機構を備えているディジタルカメラを提供する。
【００２５】
この構成によれば、電子ディスプレイとヒンジユニットとを相対的に回動させる外力が作用しない限り、第２のラッチ機構が電子ディスプレイの回動を妨げるため、閉位置及び第２の開位置における電子ディスプレイが撮影者の意に反して開閉することを更に抑制することができる。
【００２６】
請求項９記載の発明は、請求項７又は８記載のディジタルカメラの構成に加えて、前記ディスプレイ回動抑制手段は、前記第２の回転軸に連結されて凸状のカム面を備えた第２のカムと、該第２のカムのカム面を押圧する第２のリーフスプリングと、を備え、前記電子ディスプレイが前記第２の回転軸回りに回動させる回動初期時には、前記第２のリーフスプリングが前記電子ディスプレイの回動方向に対して逆向きの力を前記第２のカムのカム面に付与する第２の抗力付与機構を備えているディジタルカメラを提供する。
【００２７】
この構成によれば、電子ディスプレイが第２の回転軸回りに回動する際に、第２のカムの回動に応じて撓んだ第２のリーフスプリングが、電子ディスプレイの回動初期時には、電子ディスプレイの回動を妨げる付勢力を第２のカムに付与するため、閉位置及び第２の開位置における電子ディスプレイが撮影者の意に反して開閉することを更に抑制することができる。
【００２８】
請求項１０記載の発明は、請求項１乃至９の何れか１項記載のディジタルカメラの構成に加えて、前記ヒンジユニットの外周壁は、前記ヒンジユニットの電子ディスプレイの裏面に対向する基台の周縁を上方に折り曲げて形成されているディジタルカメラを提供する。
【００２９】
この構成によれば、ヒンジユニットの外周壁が基台の周縁を折り曲げて一体に形成されることにより、ヒンジユニットの剛性を向上させることができる。
【発明の効果】
【００３０】
本発明は、簡易な構造で電子ディスプレイを縦横自在に簡単に回動させることができる。
【図面の簡単な説明】
【００３１】
【図１】本発明の一実施例に係るディジタルカメラを示す斜視図。
【図２】図１に示すディジタルカメラの一部切欠平面図。
【図３】カメラ本体、電子ディスプレイ及びヒンジユニットの組立分解図並びに一部拡大図。
【図４】Ｘ軸上に配置された軸部の端部を示す一部切欠斜視図。
【図５】ヒンジユニット、Ｙ軸上に配置された軸部、カム及びリーフスプリングを示す斜視図。
【図６】図１に示すディジタルカメラの電子ディスプレイをＸ軸回りに回動させる様子を示す図。
【図７】電子ディスプレイをＸ軸回り回動させた模式図であり、（ａ）は、閉位置におけるヒンジユニットと第１の抗力付与機構とを示すものであり、（ｂ）は、第１の開位置におけるヒンジユニットと第１の抗力付与機構とを示すものである。
【図８】図１に示すディジタルカメラの電子ディスプレイをＹ軸回りに９０度回動させた状態を示す図。
【図９】ヒンジユニットをＹ軸回り回動させた模式図であり、（ａ）は、閉位置における電子ディスプレイと第２の抗力付与機構とを示すものであり、（ｂ）は、第２の開位置における電子ディスプレイと第２の抗力付与機構とを示すものである。
【図１０】本発明の変形例に係るディジタルカメラに用いられるカメラ本体、電子ディスプレイ及びヒンジユニットの組立分解図。
【発明を実施するための形態】
【００３２】
本発明は、簡易な構造で電子ディスプレイを縦横自在に簡単に回動するという目的を達成するために、撮像レンズを有するカメラ本体と、撮像レンズによる撮像画像を表示する電子ディスプレイと、カメラ本体に対して第１の回転軸回りに回動可能に連結されると共に電子ディスプレイを第１の回転軸に垂直な第２の回転軸回りに回動可能に連結するヒンジユニットと、を備えるディジタルカメラであって、カメラ本体は、カメラ本体の表面に凹設されてヒンジユニットを収容する収容凹部の内周壁の少なくとも一部を切り欠いて形成されて、ヒンジユニットの側面を外部に露出させる第１のスリットを備え、ヒンジユニットは、電子ディスプレイの外周を囲繞する外周壁の少なくとも一部を切り欠いて形成されて、電子ディスプレイの外周面を外部に露出させる第２のスリットを備えていることにより実現した。
【実施例】
【００３３】
以下、本発明の一実施例に係るディジタルカメラの構造について、図１乃至図５に基づいて説明する。
【００３４】
本実施例に係るディジタルカメラ１は、図示しない撮像レンズを有するカメラ本体２と、撮像レンズによる撮像画像を表示する電子ディスプレイとしての液晶ディスプレイ３と、カメラ本体２及び液晶ディスプレイ３を連結するヒンジユニット４とを備えている。なお、電子ディスプレイは、有機ＥＬディスプレイであっても構わない。
【００３５】
ヒンジユニット４は、カメラ本体２に対してカメラ横方向Ｗと平行なＸ軸回りに回動可能に支持されると共に、液晶ディスプレイ３をカメラ縦方向Ｌと平行なＹ軸回りに回動可能に支持している。
【００３６】
カメラ本体２は、表面２ａに凹設されて、液晶ディスプレイ３とヒンジユニット４とを収容する平面視で略矩形状の収容凹部２１と、収容凹部２１の内周壁２１ａの一部を切り欠いて形成される第１のスリット２２と、を備えている。
【００３７】
第１のスリット２２は、収容凹部２１の内周壁２１ａのうちＸ軸に対向する内周壁２１ａを全て切り欠いて形成されて、ヒンジユニット４の外周面４ａを外部に露出する。
【００３８】
ヒンジユニット４は、液晶ディスプレイ３の裏面３ａに対向する矩形状の基台４１と、基台４１の周縁から立設して液晶ディスプレイ３の外周を囲繞する外周壁４２と、外周壁４２の一部を切り欠いて形成された第２のスリット４３と、を備えている。
【００３９】
基台４１は、収容凹部２１の隅に設けられた係合爪２３に係合することにより、カメラ本体２とヒンジユニット４とは、一体に固定されるようになっている。
【００４０】
外周壁４２は、基台４１の周縁を上方に折り曲げて基台４１と一体に形成されており、ヒンジユニット４は、薄く軽量でありながら高い剛性を有している。外周壁４２には、基台４１からカメラ縦方向Ｌの外側に突出されて後述する圧入軸受孔４４ａが形成されたフランジ部４４が連設されている。収容凹部２２とヒンジ部４４との隙間は、カバーＣ１で覆われている。
【００４１】
第２のスリット４３は、外周壁４２の四辺のうちＹ軸に対向する一辺上の外周壁４２を全て切り欠くことによって形成されて、液晶ディスプレイ３の外周面３ｂを外部に露出させる。
【００４２】
カメラ本体２とヒンジユニット４とを連結する第１の回転軸５は、Ｘ軸上でヒンジユニット４のカメラ横方向Ｗの両端に一つずつ配置された一対の横方向軸部５ａ、５ｂで構成されている。
【００４３】
横方向軸部５ａは、一方端をヒンジユニット４のフランジ部４３に形成された圧入軸受孔４３ａに圧入され、中央をカメラ本体２の内周壁２１ａに形成された遊嵌軸受孔２１ｂに軸支され、他方端を後述する第１のカム７２の圧入孔７２ｂに圧入されている。
【００４４】
横方向軸部５ｂは、一方端をヒンジユニット４のフランジ部４３に形成された圧入軸受孔４３ａに圧入され、中央から他方端に亘ってカメラ本体２の内周壁２１ａに形成された遊嵌軸受孔２１ｂに軸支されている。
【００４５】
これにより、ヒンジユニット４は、カメラ本体２に対してＸ軸回りに回動可能に支持されている。
【００４６】
また、液晶ディスプレイ３とヒンジユニット４とを連結する第２の回転軸６は、Ｙ軸上で液晶ディスプレイ３のカメラ縦方向Ｌの両端に一つずつ配置された一対の縦方向軸部６ａ、６ｂで構成されている。
【００４７】
縦方向軸部６ａは、液晶ディスプレイ３の外周面３ｂからカメラ縦方向Ｌに向かって突設され、中央をヒンジユニット４の外周壁４２に形成された遊嵌軸受孔４２ａに軸支され、先端を後述する第２のカム８３の圧入孔８３ｂに圧入されている。
【００４８】
縦方向軸部６ｂは、液晶ディスプレイ３の外周面３ｂからカメラ縦方向Ｌに向かって突設され、中央から先端に亘ってヒンジユニット４の外周壁４２に形成された遊嵌軸受孔４２ａに軸支されている。
【００４９】
これにより、ヒンジユニット４は、液晶ディスプレイ３をＹ軸回りに回動可能に支持している。
【００５０】
カメラ本体２と液晶ディスプレイ３とを接続する配線は、図２中の矢印に示すように、横方向軸部５１ａ内及び縦方向軸部６１ａ内に配置されている。なお、配線の通し方は、第１の回転軸５及び第２の回転軸６並びに液晶ディスプレイ３のレイアウトに応じて選択可能である。
【００５１】
ヒンジユニット４がＸ軸回りに回動し始める回動初期時に、ヒンジユニット４の回動に抗するヒンジユニット回動抑制手段７が設けられている。ヒンジユニット回動抑制手段７は、第１のラッチ機構７Ａと、第１の抗力付与機構７Ｂと、を備えている。
【００５２】
第１のラッチ機構７Ａは、カメラ本体２とヒンジユニット４との間に配置されている。第１のラッチ機構７Ａは、収容凹部２１の内周壁２１ａに凹設された被係合盲孔７１と、ヒンジユニット４の外周壁４２から突設された図示しない半球状の係合突起と、を備えている。第１のラッチ機構７Ａは、係合突起を被係合盲孔７１に係合させることにより、カメラ本体２とヒンジユニット４とを係脱自在に係着するようになっている。
【００５３】
なお、本実施例では、第１のラッチ機構７Ａを、ヒンジユニット４が収容凹部２１内に収容された状態を維持するために設けているが、第１のラッチ機構７Ａを、ヒンジユニット４がＸ軸上に立ち上がった状態を維持するストッパとして設けても構わない。
【００５４】
第１の抗力付与機構７Ｂは、図４に示すように、横方向軸部５１ａの端部に圧入された第１のカム７２と、第１のカム７２を押圧する第１のリーフスプリング７３と、を備えている。
【００５５】
第１のカム７２は、第１のリーフスプリング７３に当接する凸状のカム面７２ａと、横方向軸部５１ａの他端を圧入される圧入孔７２ｂと、を備えている。
【００５６】
第１のリーフスプリング７３は、カメラ本体２の表面２ａに凹設されたスプリング収容溝２４内に収容され、上方に湾曲した略くの字状に形成されている。第１のリーフスプリング７３は、第１のカム７２の回動に応じて撓み、撓み量に応じた付勢力を第１のカム７２のカム面７２ａに付与する。なお、通常、スプリング収容溝２４は、カバーＣ２に覆われている。
【００５７】
液晶ディスプレイ３がＹ軸回りに回動し始める回動初期時に、液晶ディスプレイ３の回動に抗するディスプレイ回動抑制手段８が設けられている。ディスプレイ回動抑制手段８は、第２のラッチ機構８Ａと、第２の抗力付与機構８Ｂと、を備えている。
【００５８】
第２のラッチ機構８Ａは、液晶ディスプレイ３とヒンジユニット４との間に配置されている。第２のラッチ機構８Ａは、ヒンジユニット４の外周壁４２に形成された被係合孔８１と、液晶ディスプレイ３の外周面３ｂから突設された半球状の係合突起８２と、を備えている。第２のラッチ機構８Ａは、被係合孔８１に係合突起８２を係合させることにより、液晶ディスプレイ３とヒンジユニット４とを係脱自在に係着するようになっている。
【００５９】
なお、本実施例では、第２のラッチ機構８Ａを、液晶ディスプレイ３がヒンジユニット４内に収容された状態を維持するために設けているが、液晶ディスプレイ３がＹ軸上に立ち上がった状態を維持するストッパとして設けても構わない。
【００６０】
第２の抗力付与機構８Ｂは、図５に示すように、縦方向軸部６１ａの端部に圧入された第２のカム８３と、第２のカム８３を押圧する第２のリーフスプリング８４と、を備えている。
【００６１】
第２のカム８３は、第２のリーフスプリング８４に当接する凸状のカム面８３ａを備えている。
【００６２】
第２のリーフスプリング８４は、カメラ本体２の表面２ａに凹設されたスプリング収容溝２５内に収容され、上方に湾曲した略くの字状に形成されている。第２のリーフスプリング８４が，第２のカム８３の回動に応じて撓み、第２のカム８３のカム面８３ａに付勢力を付与する。
【００６３】
次に、液晶ディスプレイ３をＸ軸回りに回動させる手順について、図６及び７に基づいて説明する。
【００６４】
まず、液晶ディスプレイ３をＸ軸回りに開く際には、撮影者が、第１のスリット２２を介してヒンジユニット４の外周面４ａを把持して、ヒンジユニット４を図６の紙面反時計回りに回動させる。この際、ヒンジユニット４を回動させ始めると、半球状の係合突起が被係合盲孔７１から外れて、第１のラッチ機構７Ａが解除されると共に、係合爪２３が外側に撓んで基台４１から外れる。
【００６５】
図７（ａ）に示すように、ヒンジユニット４がＸ軸回りに回動して開き始めた回動初期時、即ち、第１のリーフスプリング７３と第１のカム７２のカム面７２ａとの接触点Ａが第１のリーフスプリング７３の頂点Ｂを通過する前では、第１のカム７２の回動に応じて撓んだ第１のリーフスプリング７３は、第１のカム７２にヒンジユニット４の回動方向に対して逆向きの付勢力Ｆ１を付与する。したがって、撮影者は、第１のリーフスプリング７３の付勢力Ｆ１に抗して、ヒンジユニット４を回動しなければならず、閉位置における液晶ディスプレイ３が不用意に開くことを抑制することができる。
【００６６】
図７（ｂ）に示すように、回動初期時の経過後、即ち、第１のリーフスプリング７３と第１のカム７２のカム面７２ａとの接触点Ａが第１のリーフスプリング７３の頂点Ｂを通過した後では、第１のカム７２の回動に応じて撓んだ第１のリーフスプリング７３は、第１のカム７２にヒンジユニット４の回動方向に沿う向きの付勢力Ｆ２を付与する。したがって、撮影者は、第１のリーフスプリング７３の付勢力Ｆ２の分だけ、軽い力でヒンジユニット４を回動することができる。また、回動初期時の経過後では、ヒンジユニット４を閉じる際に、第１のリーフスプリング７３の付勢力Ｆ２に抗してヒンジユニット４を回動させなければならず、液晶ディスプレイ３が不用意に閉じることを抑制することができる。
【００６７】
なお、ヒンジユニット４がＸ軸回りに回動する際には、液晶ディスプレイ３とヒンジユニット４とは、第２のラッチ機構８Ａにより一体に固定されている。
【００６８】
このように、第１のスリット２２からヒンジユニット４の外周面４ａの少なくとも一部を露出することにより、撮影者がヒンジユニット４を把持する等してヒンジユニット４の回動操作を簡単に実施することができるため、閉位置の液晶ディスプレイ３を第１の開位置、即ち、液晶ディスプレイ３がＸ軸上でカメラ本体２に対して垂直に立てられた状態に簡単に移行することができる。
【００６９】
また、第１の開位置の液晶ディスプレイ３をカメラ本体２に収容する際には、ヒンジユニット４をＸ軸回りに図６の紙面時計回りに回動させる。
【００７０】
図７（ｂ）に示すように、第１の開位置におけるヒンジユニット４がＸ軸回りに回動して閉じ始めた回動初期時には、即ち、第１のリーフスプリング７３と第１のカム７２のカム面７２ａとの接触点Ａが第１のリーフスプリング７３の頂点Ｂを通過する前では、第１のカム７２の回動に応じて撓んだ第１のリーフスプリング７３は、第１のカム７２にヒンジユニット４の回動方向に対して逆向きの付勢力Ｆ２を付与する。したがって、撮影者は、ヒンジユニット４を閉じる際に、第１のリーフスプリング７３の付勢力に抗してヒンジユニット４を回動させなければならず、第１の開位置における液晶ディスプレイ３が不用意に閉じることを抑制することができる。
【００７１】
回動初期時の経過後、即ち、第１のリーフスプリング７３と第１のカム７２のカム面７２ａとの接触点Ａが第１のリーフスプリング７３の頂点Ｂを通過した後には、第１のカム７２の回動に応じて撓んだ第１のリーフスプリング７３は、第１のカムにヒンジユニット４の回動方向に沿う向きの付勢力Ｆ１を付与する。したがって、撮影者は、第１のリーフスプリングの付勢力Ｆ１の分だけ、軽い力でヒンジユニット４を回動することができる。また、回動初期時の経過後には、ヒンジユニット４を開く際に、第１のリーフスプリング７３の付勢力Ｆ２に抗してヒンジユニット４を回動させなければならず、液晶ディスプレイ３が不用意に開くことを抑制することができる。
【００７２】
ヒンジユニット４が収容凹部２１に収容されると、ヒンジユニット４の係合凸部が被係合盲孔７１に係合し、第１のラッチ機構７Ａがロックされると共に、ヒンジユニット４の基台４１が係合爪２３に掛止されて、液晶ディスプレイ３及びヒンジユニット４が、カメラ本体２に対して一体に固定される。
【００７３】
次に、液晶ディスプレイ３をＹ軸回りに回動させる手順について、図８及び９に基づいて説明する。
【００７４】
まず、液晶ディスプレイ３をＹ軸回りに回動させる際には、撮影者が、第２のスリット４３を介してカメラ本体２を把持して、カメラ本体２を図８の紙面時計回りに回動させる。この際、液晶ディスプレイ３が持ち上がると、液晶ディスプレイ３の外周面３ｂに設けられた半球状の係合突起８２が、被係合孔８１から外れて、第２のラッチ機構８Ａが解除される。
【００７５】
図９（ａ）に示すように、液晶ディスプレイ３がＹ軸回りに回動して開き始めた回動初期時には、即ち、第２のリーフスプリング８４と第２のカム８３のカム面８３ａとの接触点Ｃが第２のリーフスプリング８４の頂点Ｄを通過する前では、第２のカム８３の回動に応じて撓んだ第２のリーフスプリング８４は、第２のカム８３に液晶ディスプレイ３の回動方向に対して逆向きの付勢力Ｆ３を付与する。したがって、撮影者は、第２のリーフスプリング８４の付勢力Ｆ３に抗して、液晶ディスプレイ３を回動しなければならず、閉位置における液晶ディスプレイ３が不用意に開くことを抑制することができる。
【００７６】
図９（ｂ）に示すように、回動初期時の経過後、即ち、第２のリーフスプリング８４と第２のカム８３のカム面８３ａとの接触点Ｃが第２のリーフスプリング８４の頂点Ｄを通過した後では、第２のカム８３の回動に応じて撓んだ第２のリーフスプリング８４は、第２のカム８３に液晶ディスプレイ３の回動方向に沿う向きの付勢力Ｆ４を付与する。したがって、撮影者は、第２のリーフスプリング８４の付勢力の分だけ、軽い力で液晶ディスプレイ３を回動することができる。また、回動初期時の経過後では、液晶ディスプレイ３を閉じる際に、第２のリーフスプリング８４の付勢力Ｆ４に抗して液晶ディスプレイ３を回動させなければならず、液晶ディスプレイ３が不用意に閉じることを抑制することができる。
【００７７】
なお、液晶ディスプレイ３がＹ軸回りに回動する際には、カメラ本体２とヒンジユニット３とは、第１のラッチ機構７Ａにより一体に固定されている。
【００７８】
このように、第２のスリット４３から液晶ディスプレイ３の外周面３ｂの少なくとも一部を露出することにより、撮影者が液晶ディスプレイ３を把持する等して液晶ディスプレイ３の回動操作を簡単に実施することができるため、閉位置の液晶ディスプレイ３を第２の開位置、即ち、液晶ディスプレイ３がＹ軸上でカメラ本体２に対して垂直に立てられた状態に簡単に移行することができる。
【００７９】
また、第２の開位置の液晶ディスプレイ３をカメラ本体２に収容する際には、液晶ディスプレイ３をＹ軸回りに図８の紙面時計回りに回動させる。
【００８０】
図９（ｂ）に示すように、第２の開位置における液晶ディスプレイ３がＹ軸回りに回動し閉じ始めた回動初期時には、第２のカム８３の回動に応じて撓んだ第２のリーフスプリング８４は、第２のカムにヒンジユニット４の回動方向に対して逆向きの付勢力を付与する。したがって、撮影者は、液晶ディスプレイ３を閉じる際に、第２のリーフスプリング８４の付勢力に抗してヒンジユニット４を回動させなければならず、第２の開位置におくる液晶ディスプレイ３が不用意に閉じることを抑制することができる。
【００８１】
また、回動初期時の経過後、即ち、第２のリーフスプリング８４と第２のカム８３のカム面８３ａとの接触点Ｃが第２のリーフスプリング８４の頂点Ｄを通過した後には、第２のカム８３の回動に応じて撓んだ第２のリーフスプリング８４は、第２のカム８３にヒンジユニット４の回動方向に沿う向きの付勢力を付与する。したがって、撮影者は、第２のリーフスプリング８４の付勢力の分だけ、軽い力でヒンジユニット４を回動することができる。また、回動初期時の経過後には、液晶ディスプレイ３を開く際に、第２のリーフスプリング８４の付勢力に抗して液晶ディスプレイ３を回動させなければならず、液晶ディスプレイ３が不用意に開くことを抑制することができる。
【００８２】
液晶ディスプレイ３がヒンジユニット４内に収容されると、液晶ディスプレイ３の外周面３ｂに設けられた半球状の係合突起８２が、被係合孔８１に係合し、第２のラッチ機構８Ａがロックされて、液晶ディスプレイ３が、ヒンジユニット４及びカメラ本体２に対して一体に固定される。
【００８３】
次に、上述した実施例の変形例に係るディジタルカメラ１について、図１０に基づいて説明する。ここで、上述した実施例と同一の部材については、重複する説明を省略する。
【００８４】
本変形例は、上述した実施例に係るディジタルカメラ１とは、Ｘ軸及びＹ軸の具体的な配置が異なり、本変形例では、Ｘ軸がカメラ縦方向Ｌと平行に設定され、Ｙ軸がカメラ横方向Ｗと平行に設定されている。
【００８５】
ヒンジユニット４の外周壁４ａを外部に露出させる第１のスリット２２は、収容凹部２１の内周壁２１ａのうちＹ軸に対向する内周壁２１ａを全て切り欠いて形成されている。
【００８６】
液晶ディスプレイ３の外周面３ｂを外部に露出させる第２のスリット４３は、ヒンジユニット４の外周壁４ａのうちＹ軸に対向する外周壁４ａの一部を切り欠いて形成されている。
【００８７】
このように、本実施例及び変形例に係るディジタルカメラ１は、撮影者が第１のスリット２２を介してヒンジユニット４を把持する等してヒンジユニット４の回動操作がし易く、液晶ディスプレイ３を閉位置から第１の開位置に簡単に移行することができる。また、撮影者が第２のスリット４３を介して液晶ディスプレイ３を把持する等して液晶ディスプレイ３の回動操作がし易く、液晶ディスプレイ３を閉位置から第２の開位置に簡単に移行することができる。これにより、簡易な構造で液晶ディスプレイ３を縦横自在に簡単に回動させることができる。
【００８８】
なお、本発明では、液晶ディスプレイ及びヒンジユニットの回動角度を９０度に設定しているが、厳密に９０度である必要はなく、例えば、８０度や１００度であっても構わない。
【００８９】
なお、本発明は、本発明の精神を逸脱しない限り種々の改変をなることができ、そして、本発明が該改変されたものにも及ぶことは当然である。
【符号の説明】
【００９０】
１  ・・・  ディジタルカメラ
２  ・・・  カメラ本体
２１・・・  収容凹部
２１ａ・・・内周壁
２１ｂ・・・遊嵌軸受孔
２２・・・  第１のスリット
２３・・・  係合爪
２４・・・  スプリング収容溝
２５・・・  スプリング収容溝
３  ・・・  液晶ディスプレイ
３ａ・・・  裏面
３ｂ・・・  外周面
４  ・・・  ヒンジユニット
４ａ・・・  外周面
４１・・・  基部
４２・・・  外周壁
４２ａ・・・遊嵌軸受孔
４３・・・  第２のスリット
４４・・・  フランジ部
４４ａ・・・圧入軸受孔
５  ・・・  第１の回転軸
５１ａ、ｂ・・・横方向軸部
６  ・・・  第２の回転軸
６１ａ、ｂ・・・縦方向軸部
７  ・・・  ヒンジユニット回動抑制手段
７Ａ・・・  第１のラッチ機構
７Ｂ・・・  第１の抗力付与機構
７１・・・  被係合盲孔
７２・・・  第１のカム
７２ａ・・・（第１のカムの）カム面
７２ｂ・・・（第１のカムの）圧入孔
７３・・・  第１のリーフスプリング
８  ・・・  ディスプレイ回動抑制手段
８Ａ・・・  第２のラッチ機構
８Ｂ・・・  第２の抗力付与機構
８１・・・  被係合孔
８２・・・  係合突起
８３・・・  第２のカム
８３ａ・・・（第２のカムの）カム面
８３ｂ・・・（第２のカムの）圧入孔
８４・・・  第２のリーフスプリング
Ｌ  ・・・  カメラ縦方向
Ｗ  ・・・  カメラ横方向
【要約】
【課題】簡易な構造で電子ディスプレイを縦横自在に簡単に回動可能なディジタルカメラを提供する。
【解決手段】撮像レンズを有するカメラ本体２と撮像レンズの撮像画像を表示する液晶ディスプレイ３とカメラ本体２及び電子ディスプレイ３を連結するヒンジユニット４とを備え、カメラ本体２は、ヒンジユニット３を収容する収容凹部２１の内周壁２１ａの少なくとも一部を切り欠いて形成されてヒンジユニット４の外周面４ａを外部に露出させる第１のスリット２２を備え、ヒンジユニット４は、液晶ディスプレイ３の外周を囲繞する外周壁４２の少なくとも一部を切り欠いて形成されて液晶ディスプレイ３の外周面３ｂを外部に露出させる第２のスリット４３を備えているディジタルカメラ１。
【選択図】図１【図１】
0005461738.tif 000002
【図２】
0005461738.tif 000003
【図３】
0005461738.tif 000004
【図４】
0005461738.tif 000005
【図５】
0005461738.tif 000006
【図６】
0005461738.tif 000007
【図７】
0005461738.tif 000008
【図８】
0005461738.tif 000009
【図９】
0005461738.tif 000010
【図１０】
0005461738.tif 000011